【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
インクを吐出する記録ヘッドを備えるとともに、所定の移動方向に移動可能なヘッドユ
ニットと、
前記ヘッドユニットに搭載され、前記インクを前記記録ヘッドに供給するアダプターと、
前記ヘッドユニットの移動領域における少なくとも一部の移動領域を露呈させる開
口部を備えたハウジングと、
前記ヘッドユニットに接続され、インクが収容されたインク収容部から送られるインク
を前記記録ヘッドへと導く、可撓性を有するインクチューブと、
前記インクチューブと直接又は間接に係合する係合部において前記インクチューブの位
置を規制するチューブ係合部材と、
を備え、
前記ヘッドユニットの上側に高低差が形成され、
前記係合部の少なくとも一部、或いは前記インクチューブにおいて前記係合部と係合す
る部分の少なくとも一部が、前記ヘッドユニットの移動方向から前記ヘッドユニットと前
記チューブ係合部材を見た際に、前記ヘッドユニットにおける低位置と前記ハウジングと
の間の空間に入り込んでいる、
ことを特徴とするインクジェット記録装置。
【請求項２】
インクを吐出する記録ヘッドを備えるとともに、所定の移動方向に移動可能なヘッドユ
ニットと、
前記ヘッドユニットに搭載され、前記インクを前記記録ヘッドに供給するアダプターと、
前記ヘッドユニットの移動領域における少なくとも一部の移動領域を露呈させる開
口部を備えたハウジングと、
前記ヘッドユニットに接続され、インクが収容されたインク収容部から送られるインク
を前記記録ヘッドへと導く、可撓性を有するインクチューブと、
前記インクチューブと直接又は間接に係合する係合部において前記インクチューブの位
置を規制するチューブ係合部材と、を備え、
前記ヘッドユニットの上側に高低差が形成され、
前記係合部の少なくとも一部、或いは前記インクチューブにおいて前記係合部と係合す
る部分の少なくとも一部が、前記ヘッドユニットの移動方向から前記ヘッドユニットと前
記チューブ係合部材を見た際に、前記ヘッドユニットにおける低位置と高位置との間の空
間に入り込んでいる、
ことを特徴とするインクジェット記録装置。
【請求項３】
インクを吐出する記録ヘッドを備えるとともに、所定の移動方向に移動可能なヘッドユ
ニットと、
前記ヘッドユニットに搭載され、前記インクを前記記録ヘッドに供給するアダプターと、
前記ヘッドユニットの移動領域における少なくとも一部の移動領域を露呈させる開
口部を備えたハウジングと、
前記ヘッドユニットに接続され、インクが収容されたインク収容部から送られるインク
を前記記録ヘッドへと導く、可撓性を有するインクチューブと、
前記インクチューブと直接又は間接に係合する係合部において前記インクチューブを固
定するチューブ係合部材と、を備え、
前記ヘッドユニットの上側に高低差が形成され、
前記係合部の少なくとも一部、或いは前記インクチューブにおいて前記係合部と係合す
る部分の少なくとも一部が、前記ヘッドユニットの移動方向から前記ヘッドユニットと前
記チューブ係合部材を見た際に、前記ヘッドユニットにおける低位置と前記ハウジングと
の間の空間に入り込んでいる、
ことを特徴とするインクジェット記録装置。
【請求項４】
インクを吐出する記録ヘッドを備えるとともに、所定の移動方向に移動可能なヘッドユ
ニットと、
前記ヘッドユニットに搭載され、前記インクを前記記録ヘッドに供給するアダプターと、
前記ヘッドユニットの移動領域における少なくとも一部の移動領域を露呈させる開
口部を備えたハウジングと、
前記ヘッドユニットに接続され、インクが収容されたインク収容部から送られるインク
を前記記録ヘッドへと導く、可撓性を有するインクチューブと、
前記インクチューブと直接又は間接に係合する係合部において前記インクチューブを支
持するチューブ係合部材と、を備え、
前記ヘッドユニットの上側に高低差が形成され、
前記係合部の少なくとも一部、或いは前記インクチューブにおいて前記係合部と係合す
る部分の少なくとも一部が、前記ヘッドユニットの移動方向から前記ヘッドユニットと前
記チューブ係合部材を見た際に、前記ヘッドユニットにおける低位置と前記ハウジングと
の間の空間に入り込んでいる、
ことを特徴とするインクジェット記録装置。
【請求項５】
インクを吐出する記録ヘッドを備えるとともに、所定の移動方向に移動可能なヘッドユ
ニットと、
前記ヘッドユニットに搭載され、前記インクを前記記録ヘッドに供給するアダプターと、
前記ヘッドユニットの移動領域における少なくとも一部の移動領域を露呈させる開
口部を備えたハウジングと、
前記ヘッドユニットに接続され、インクが収容されたインク収容部から送られるインク
を前記記録ヘッドへと導く、可撓性を有するインクチューブと、
前記インクチューブと直接又は間接に係合する係合部において前記インクチューブをガ
イドするチューブ係合部材と、を備え、
前記ヘッドユニットの上側に高低差が形成され、
前記係合部の少なくとも一部、或いは前記インクチューブにおいて前記係合部と係合す
る部分の少なくとも一部が、前記ヘッドユニットの移動方向から前記ヘッドユニットと前
記チューブ係合部材を見た際に、前記ヘッドユニットにおける低位置と前記ハウジングと
の間の空間に入り込んでいる、
ことを特徴とするインクジェット記録装置。
【請求項６】
インクを吐出する記録ヘッドを備えるとともに、所定の移動方向に移動可能なヘッドユ
ニットと、
前記ヘッドユニットに搭載され、前記インクを前記記録ヘッドに供給するアダプターと、
前記ヘッドユニットの移動領域における少なくとも一部の移動領域を露呈させる開
口部を備えたハウジングと、
前記ヘッドユニットに接続され、インクが収容されたインク収容部から送られるインク
を前記記録ヘッドへと導く、可撓性を有するインクチューブと、
前記インクチューブと直接又は間接に係合する係合部において前記インクチューブを載
置するチューブ係合部材と、を備え、
前記ヘッドユニットの上側に高低差が形成され、
前記係合部の少なくとも一部、或いは前記インクチューブにおいて前記係合部と係合す
る部分の少なくとも一部が、前記ヘッドユニットの移動方向から前記ヘッドユニットと前
記チューブ係合部材を見た際に、前記ヘッドユニットにおける低位置と前記ハウジングと
の間の空間に入り込んでいる、
ことを特徴とするインクジェット記録装置。
【請求項７】
インクを吐出する記録ヘッドを備えるとともに、所定の移動方向に移動可能なヘッドユ
ニットと、
前記ヘッドユニットに搭載され、前記インクを前記記録ヘッドに供給するアダプターと、
前記ヘッドユニットの移動領域における少なくとも一部の移動領域を露呈させる開
口部を備えたハウジングと、
前記ヘッドユニットに接続され、インクが収容されたインク収容部から送られるインク
を前記記録ヘッドへと導く、可撓性を有するインクチューブと、
前記インクチューブと直接又は間接に係合する係合部において前記インクチューブを吊
り下げるチューブ係合部材と、を備え、
前記ヘッドユニットの上側に高低差が形成され、
前記係合部の少なくとも一部、或いは前記インクチューブにおいて前記係合部と係合す
る部分の少なくとも一部が、前記ヘッドユニットの移動方向から前記ヘッドユニットと前
記チューブ係合部材を見た際に、前記ヘッドユニットにおける低位置と前記ハウジングと
の間の空間に入り込んでいる、
ことを特徴とするインクジェット記録装置。
【請求項８】
請求項１から７のいずれか１項に記載のインクジェット記録装置において、
前記ヘッドユニットの上側に形成される高低差は、前記ヘッドユニットの上端と、前記アダプターの上端とで形成される、ことを特徴とするインクジェット記録装置。
【請求項９】
請求項１から７のいずれか１項に記載のインクジェット記録装置において、
前記ヘッドユニットの上側に形成される高低差は、前記ヘッドユニットの上端の高位置部と、前記高位置部下方に位置する低位置部によって形成される、ことを特徴とするインクジェット記録装置。
【請求項１０】
請求項１から９のいずれか１項に記載のインクジェット記録装置において、
前記係合部は、前記開口部の内側に配設される、ことを特徴とするインクジェット記録装置。
【請求項１１】
請求項１から１０のいずれか１項に記載のインクジェット記録装置において、前記チューブ係合部材は、前記インクジェット記録装置において記録が行われた被記録媒体が排出される排出口が設けられた側を装置前方側としたとき、前記開口部の装置前方側において前記ハウジングに支持されている、ことを特徴とするインクジェット記録装置。
【請求項１２】
請求項１１に記載のインクジェット記録装置において、前記インクチューブは、前記チューブ係合部材を経て、前記ハウジングの前面側に延出している、ことを特徴とするインクジェット記録装置。
【請求項１３】
請求項１２に記載のインクジェット記録装置において、前記インクチューブは、前記ハウジングの前面を通り、前記ハウジングの側方へ出ている、ことを特徴とするインクジェット記録装置。
【請求項１４】
請求項１から１０のいずれか１項に記載のインクジェット記録装置において、前記インクチューブを複数本有し、
当該複数本のインクチューブが前記係合部において水平方向に配列されている、ことを
特徴とするインクジェット記録装置。
【請求項１５】
請求項１から１０のいずれか１項に記載のインクジェット記録装置において、前記インクチューブを複数本有し、
当該複数本のインクチューブが前記係合部において上下方向に配列されている、ことを
特徴とするインクジェット記録装置。
【請求項１６】
請求項１から１０のいずれか１項に記載のインクジェット記録装置において、前記係合部は、前記ヘッドユニットの移動方向と交差する方向に沿った部分と、前記ヘッドユニットの移動方向に沿った部分と、を有することを特徴とするインクジェット記録装置。
【請求項１７】
請求項１から１０のいずれか１項に記載のインクジェット記録装置において、前記ハウジングの外側に前記インク収容部を備えている、ことを特徴とするインクジェット記録装置。